(57)【特許請求の範囲】
【請求項１】
視方向を任意に変えられる旋回機能を有し非監視場所の情景を撮像する少なくとも１つ以上の撮像装置と、ネットワークを介して前記各撮像装置により撮像された情景の映像信号を受信して当該情景をモニタ画面上に表示する機能と前記撮像装置の旋回を制御する機能とを備えた監視制御端末とを有する遠隔映像監視システムにおいて、
前記監視制御端末は、
時間帯別に設定された時間間隔毎に、前記撮像装置に対して前記ネットワークにおける旋回中止指示の信号の伝送遅延時間を算出させるための当該信号の送出時刻情報を挿入した伝送遅延測定信号を生成して送信する手段
を有し、
前記撮像装置は、
前記伝送遅延測定信号を受信した際、該伝送遅延測定信号を受信した時刻情報と前記送出時刻情報とから時間差から前記伝送遅延時間を算出し、該算出された伝送遅延時間を示す伝送遅延差情報を挿入した伝送遅延測定応答信号を生成して前記監視制御端末に対して送信する手段
を有し、
前記監視制御端末は、
前記撮像装置から受信した前記伝送遅延測定応答信号に挿入された前記伝送遅延差情報に基づき前記伝送遅延時間を管理する管理手段と、
前記撮像装置の旋回中に旋回中止指示が行われた場合、現旋回方向の逆方向に前記管理手段で管理されている前記伝送遅延時間に相当する所定角度だけ戻って停止されるように該撮像装置に対して旋回制御する旋回制御手段と
を具備することを特徴とする遠隔映像監視システム。
【請求項２】
視方向を任意に変えられる旋回機能を有し非監視場所の情景を撮像する少なくとも１つ以上の撮像装置と、ネットワークを介して前記各撮像装置により撮像された情景の映像信号を受信して当該情景をモニタ画面上に表示する機能と前記撮像装置の旋回を制御する機能とを備えた監視制御端末とを有する遠隔映像監視システムにおいて、
前記監視制御端末は、
時間帯別に設定された時間間隔毎に、前記撮像装置に対して前記ネットワークにおける旋回中止指示の信号の伝送遅延時間を算出させるための当該信号の送出時刻情報を挿入した伝送遅延測定信号を生成して送信する手段
を有し、
前記撮像装置は、
前記伝送遅延測定信号を受信した際、該伝送遅延測定信号を受信した時刻情報と前記送出時刻情報とから時間差から前記伝送遅延時間を算出し、該算出された伝送遅延時間を示す伝送遅延差情報を挿入した伝送遅延測定応答信号を生成して前記監視制御端末に対して送信する手段
を有し、
前記監視制御端末は、
前記撮像装置から受信した前記伝送遅延測定応答信号に挿入された前記伝送遅延差情報に基づき前記伝送遅延時間を管理する管理手段と、
前記撮像装置の旋回中に旋回中止指示が行われた場合、前記モニタ画面上に表示されている映像を保持する保持手段と、
前記撮像装置の旋回中に旋回中止指示が行われた場合、現旋回方向の逆方向に前記管理手段で管理されている前記伝送遅延時間に相当する所定角度だけ戻って停止されるように該撮像装置に対して旋回制御する旋回制御手段と、
当該撮像装置の所定角度の逆旋回が終了した場合、当該撮像装置から送られてくる映像を前記モニタ画面上に表示するように映像切換えを行う切換手段と
を具備することを特徴とする遠隔映像監視システム。
【発明の詳細な説明】
【０００１】
【発明の属する技術分野】
本発明は、遠隔映像監視システムに関し、特に、監視者がカメラ旋回中に旋回を停止させて見たい場所の映像を画面上でずれることなく表示させることができ、それにより、監視者にとっては、違和感無く所望の画角の映像を監視することができる遠隔映像監視システムに関する。
【０００２】
【従来の技術】
近年、この種の遠隔映像監視システムにおいては、ＬＡＮ、ＷＡＮなどのネットワークを利用した方式が増加しつつある。
【０００３】
これは、遠隔地に設置されたカメラや旋回装置をネットワーク経由で制御する方式である。
【０００４】
ところが、従来、この種の方式では、監視制御端末から旋回監視カメラ装置（例えば、カメラと旋回装置が一体になっているもの）までに制御情報が届くまでの時間が問題となっている。
【０００５】
この問題は、例えば、監視者が、監視制御端末の表示画面上に映し出される旋回中の映像を見ながら、ある任意の画角で旋回を停止させようとするときに顕著に発生する。
【０００６】
すなわち、監視者がちょうど監視したいと思う画角で停止操作を行った場合でも、その停止を指示する制御情報が実際に旋回装置に届くまでに時間がかかるため、その伝送遅延時間分だけカメラが余計に動くことになる。
【０００７】
【発明が解決しようとする課題】
上述の如く、従来の遠隔映像監視システムにあっては、監視者がカメラの旋回中に、旋回を停止させて所望の画角の映像を見ようと停止操作を行った場合でも、その停止を指示する制御情報が旋回装置に届くまでに時間がかかり、実際には、カメラは監視者が所望する画角を超えて停止することになる。
【０００８】
このため、監視者にとっては、カメラの旋回中に所望の画角でカメラの旋回を停止させて映像を監視したくても、制御情報の伝送遅延分だけカメラが余計に動いてしまい、非常に監視操作の使い勝手が悪いものとなっている。
【０００９】
そこで、本発明では、上記不都合を解消し、監視者がカメラ旋回中に旋回を停止させて見たい場所の映像を画面上でずれることなく表示させることができる遠隔映像監視システムを提供することを第１の目的とする。
【００１０】
また、監視者にとって、違和感無く所望の画角の映像を監視することができる遠隔映像監視システムを提供することを第２の目的とする。
【００１１】
【課題を解決するための手段】
上記目的を達成するために、請求項１の発明は、視方向を任意に変えられる旋回機能を有し非監視場所の情景を撮像する少なくとも１つ以上の撮像装置と、ネットワークを介して前記各撮像装置により撮像された情景の映像信号を受信して当該情景をモニタ画面上に表示する機能と前記撮像装置の旋回を制御する機能とを備えた監視制御端末とを有する遠隔映像監視システムにおいて、前記監視制御端末は、時間帯別に設定された時間間隔毎に、前記撮像装置に対して前記ネットワークにおける旋回中止指示の信号の伝送遅延時間を算出させるための当該信号の送出時刻情報を挿入した伝送遅延測定信号を生成して送信する手段を有し、前記撮像装置は、前記伝送遅延測定信号を受信した際、該伝送遅延測定信号を受信した時刻情報と前記送出時刻情報とから時間差から前記伝送遅延時間を算出し、該算出された伝送遅延時間を示す伝送遅延差情報を挿入した伝送遅延測定応答信号を生成して前記監視制御端末に対して送信する手段を有し、前記監視制御端末は、前記撮像装置から受信した前記伝送遅延測定応答信号に挿入された前記伝送遅延差情報に基づき前記伝送遅延時間を管理する管理手段と、前記撮像装置の旋回中に旋回中止指示が行われた場合、現旋回方向の逆方向に前記管理手段で管理されている前記伝送遅延時間に相当する所定角度だけ戻って停止されるように該撮像装置に対して旋回制御する旋回制御手段とを具備することを特徴とする。
【００１２】
この請求項１の発明によれば、時間帯別に設定された時間間隔毎に、監視制御端末から撮像装置に伝送遅延測定信号を送信して、撮像装置から伝送遅延測定応答信号により時間帯別の時間間隔で伝送遅延時間を検出して管理することにより、実際の伝送遅れに近い伝送遅延時間で撮像装置を逆方向へ旋回する制御ができるようにして、監視者が撮像装置の旋回中に旋回を停止させて見たい場所の映像を画面上でずれることなく表示させることができるようにしたものである。
【００１３】
また、請求項２の発明は、視方向を任意に変えられる旋回機能を有し非監視場所の情景を撮像する少なくとも１つ以上の撮像装置と、ネットワークを介して前記各撮像装置により撮像された情景の映像信号を受信して当該情景をモニタ画面上に表示する機能と前記撮像装置の旋回を制御する機能とを備えた監視制御端末とを有する遠隔映像監視システムにおいて、前記監視制御端末は、時間帯別に設定された時間間隔毎に、前記撮像装置に対して前記ネットワークにおける旋回中止指示の信号の伝送遅延時間を算出させるための当該信号の送出時刻情報を挿入した伝送遅延測定信号を生成して送信する手段を有し、前記撮像装置は、前記伝送遅延測定信号を受信した際、該伝送遅延測定信号を受信した時刻情報と前記送出時刻情報とから時間差から前記伝送遅延時間を算出し、該算出された伝送遅延時間を示す伝送遅延差情報を挿入した伝送遅延測定応答信号を生成して前記監視制御端末に対して送信する手段を有し、前記監視制御端末は、前記撮像装置から受信した前記伝送遅延測定応答信号に挿入された前記伝送遅延差情報に基づき前記伝送遅延時間を管理する管理手段と、前記撮像装置の旋回中に旋回中止指示が行われた場合、前記モニタ画面上に表示されている映像を保持する保持手段と、前記撮像装置の旋回中に旋回中止指示が行われた場合、現旋回方向の逆方向に前記管理手段で管理されている前記伝送遅延時間に相当する所定角度だけ戻って停止されるように該撮像装置に対して旋回制御する旋回制御手段と、当該撮像装置の所定角度の逆旋回が終了した場合、当該撮像装置から送られてくる映像を前記モニタ画面上に表示するように映像切換えを行う切換手段とを具備することを特徴とする。
【００１４】
この請求項２の発明によれば、時間帯別に設定された時間間隔毎に、監視制御端末から撮像装置に伝送遅延測定信号を送信して、撮像装置から伝送遅延測定応答信号により時間帯別の時間間隔で伝送遅延時間を検出して管理することにより、実際の伝送遅れに近い伝送遅延時間で逆方向へ旋回する制御ができるようにするとともに、撮像装置の旋回中止指示が行われた場合に、モニタ画面上に表示されている映像を一旦保持し、逆方向への旋回終了後に、撮像装置から送られてくる映像をモニタ画面上に表示させるようにして、監視者が撮像装置の旋回中に旋回を停止させて見たい場所の映像を画面上でずれることなく表示させることができ、特に、監視者が違和感無く所望の画角の映像を監視することができるようにしたものである。
【００１９】
【発明の実施の形態】
以下、本発明に係る実施の形態を添付図面を参照して詳細に説明する。
【００２０】
図１は、本発明の遠隔映像監視システム１００の一構成例を示す図であり、この遠隔映像監視システム１００は、例えば、道路交通の監視、発電所内の監視、浄水場のポンプ室内の監視などに用いられるシステムである。
【００２１】
図１に示すように、この遠隔映像監視システム１００では、被監視場所Ａの情景を撮像する旋回監視カメラ装置１と、この旋回監視カメラ装置１から送出される撮像された情景の映像信号を後述の監視制御装置３へ伝送中継する、或いは監視制御装置３から送出される旋回制御信号等を旋回監視カメラ装置１へ伝送中継するＬＡＮまたはＷＡＮから成るネットワーク２と、このネットワーク（ＬＡＮ／ＷＡＮ）２を介して映像信号を受信して当該撮像された被監視場所Ａの情景を表示画面上に映し出す、或いは監視者の操作に基づき旋回監視カメラ装置１の旋回を制御する旋回制御信号を送出する監視制御装置３と、ネットワーク２に接続され、旋回監視カメラ装置１と監視制御装置３間の時刻合せを行うためのタイムサーバ４とを備えて構成される。
【００２２】
なお、このタイムサーバ４による時刻合わせとは、旋回監視カメラ装置１と監視制御装置３の両者が実装する時計の時刻を一致させることであり、これにより、正確な伝送遅延差を算出させる。したがって、必ずしも通常の現在時刻に合わせる必要はなく、伝送遅延を求める旋回監視カメラ装置１と監視制御装置３の時計の時刻さえ一致していれば良い。
【００２３】
次に、上記図１に示した本発明の遠隔映像監視システム１００における旋回監視カメラ装置１および監視制御装置３の全体構成について更に詳細に説明する。
【００２４】
図２は、上記図１に示した本発明の遠隔映像監視システム１００における旋回監視カメラ装置１および監視制御装置３の全体構成を更に詳細に示した図である。図２に示すように、この旋回監視カメラ装置１では、カメラ部１１、旋回制御部１２、パケット送受信部１３、遅延差算出制御部１４を備えて構成されている。
【００２５】
ここで、カメラ部１１は、例えば、図１に示す被監視場所Ａの情景を撮像し、映像信号に変換して出力する。
【００２６】
旋回制御部１２は、後述する監視制御装置３からの旋回制御信号に基づきカメラ部１１の旋回を制御する。
【００２７】
パケット送受信部１３は、上記カメラ部１１から出力された映像信号を、この通信で使用されるパケット（ＴＣＰ／ＩＰパケット）に変換してネットワーク（ＬＡＮ／ＷＡＮ）２側に送信する、或いは監視制御装置３からの旋回制御信号（本発明の旋回停止補正用の旋回制御信号も含む）のパケット或いは本発明の伝送遅延測定用信号のパケットを受信してそれぞれ所定の構成部（旋回制御部１２或いは後述の遅延差算出制御部１４）に出力する。
【００２８】
遅延差算出制御部１４は、パケット送受信部１３から入力された伝送遅延測定用信号のパケット（図４（ａ）参照）に基づき制御情報の伝送遅延時間を算出するとともに、この値を挿入した伝送遅延測定信号のパケット（図４（ｂ）参照）を生成してパケット送受信部１３へ出力する。
【００２９】
また、この監視制御装置３では、画像メモリ３１、映像切替えスイッチ３２、切替えスイッチ３３、映像表示部３４、旋回制御操作部３５、旋回制御部３６、旋回停止補正制御部３７、パケット送受信部３８、遅延差算出制御部３９を備えて構成されている。
【００３０】
ここで、画像メモリ３１は、旋回監視カメラ装置１からリアルタイムで送られてくる映像信号を、例えば、ｎ（ｎ：任意の整数）フレーム分だけ順次蓄積するものであり、特に、本発明では、後述の旋回制御操作部３５にて旋回操作が中止された場合に、後述の映像表示部３４上に表示されている映像を固定表示する場合に用いられる。
【００３１】
映像切替えスイッチ３２は、後述の切替えスイッチ制御部３３の制御のもと、上記画像メモリ３１から出力される映像信号の経路と旋回監視カメラ装置１からリアルタイムで送られてくる映像信号の経路とを後述の映像表示部３４への経路に切替え接続を行う。
【００３２】
切替えスイッチ制御部３３は、後述の旋回制御操作部３５或いは旋回制御部３６からの指示に従って上述の映像切替えスイッチ３２の経路切替えを制御する。
【００３３】
映像表示部３４は、上述の映像切替えスイッチ３２により切替え接続された経路から送られてくる映像信号を入力して表示画面に映像を表示する。
【００３４】
旋回制御操作部３５は、監視者の操作により、旋回監視カメラ装置１の旋回制御が操作される部分である。
【００３５】
旋回制御部３６は、上述の旋回制御操作部３５の旋回操作に基づき旋回制御情報を乗せたパケット情報を生成し、後段のパケット送受信部３８へ出力する。
【００３６】
旋回停止補正制御部３７は、監視者の操作に従って上述の旋回制御操作部３５の旋回操作ボタンの押下が解除された場合、後述の遅延差算出部３９から現時点のネットワーク経由による制御信号の伝送遅延時間の情報を受け取り、その伝送遅延時間に応じた旋回監視カメラ装置１の旋回停止位置のずれを補正するための旋回制御情報を生成し、旋回制御部３６へ出力する。
【００３７】
パケット送受信部３８は、旋回制御部３６から入力されたパケットを旋回監視カメラ装置１に対して送信するとともに、旋回監視カメラ装置１から送信されてきた各種情報が挿入されたパケットを受信する。
【００３８】
遅延差算出制御部３９は、一定時間毎に、旋回監視カメラ装置１に対して制御情報の伝送遅延時間の値を測定するための伝送遅延測定用信号のパケット（図４（ａ）参照。詳細は後述。）を生成して上述のパケット送受信部３８へ出力するとともに、上記パケット送出後、旋回監視カメラ装置１からの応答信号となる伝送遅延測定信号のパケット（図４（ｂ）参照。詳細は後述。）を受け取り、伝送遅延時間の値を記憶保持する。
【００３９】
なお、この実施例の旋回監視カメラ装置１では、モータにステッピングモータを使用しており１秒間の旋回角度が正確に設定することが可能である。このため、旋回停止補正制御部３７には、予め上記旋回監視カメラ装置１の旋回速度の値を示す情報を記憶保持しておくことで、遅延差算出部３９に記憶保持されている伝送遅延時間の値を示す情報とから旋回停止位置のずれ補正を行うための旋回制御量が算出できる。
【００４０】
また、この実施例の監視制御装置３では、一般的なパーソナルコンピュータを使用しており、上記図２に示す各機能ブロック構成は、例えば、プログラム等のソフトウェアにより実現される。なお、旋回監視カメラ装置１からの映像信号は、例えば、ビデオキャプチャボード等によって取り込まれる。
【００４１】
また、上記実施例の遅延差算出制御部３９における伝送遅延測定用信号のパケット（図４（ａ）参照）を生成するタイミング（一定時間間隔）は、本発明の制御をより正確に行うために、例えば、使用されるネットワーク（ＬＡＮ／ＷＡＮ）２のトラフィック状況を考慮して、時間帯（混雑する時間帯或いは空いている時間帯など）別に設定される時間間隔を採用しても良いものとする。
【００４２】
次に、上記構成による本発明の一連の動作について説明する。
【００４３】
図３は、上記図２に示した遠隔映像監視システム１００の監視制御装置３において、旋回監視カメラ装置１の旋回中に監視者により旋回停止指示が行われた場合の監視制御装置３の処理動作手順を示すフローチャートである。
【００４４】
図３に示すように、この処理を開始する場合、まず、監視制御装置３では、監視者により旋回制御操作部３５を介して旋回指示がＯＮされたかどうかを判定する（ステップＳ３０１）。
【００４５】
この判定の結果、旋回指示がＯＮされたと判定した場合（ステップＳ３０１ＹＥＳ）、次いで、監視制御装置３では、旋回監視カメラ装置１に対して監視者の操作に基づく旋回指示（左右、上下、左右斜め上下方向など）の制御信号を送信する（ステップＳ３０２）。
【００４６】
その後、監視制御装置３では、監視者により旋回指示がＯＦＦされたかどうかを判定する（ステップＳ３０３）。
【００４７】
この判定の結果、監視者により旋回指示がＯＦＦされたと判定した場合（ステップＳ３０３）、次いで、監視制御装置３では、現在、映像表示部３４（モニタ画面）上に表示されている映像、すなわち、旋回を中止した時に表示されている映像をモニタ画面上に静止画像として保持する（ステップＳ３０４）。
【００４８】
また、監視制御装置３では、旋回監視カメラ装置１に対して、現旋回方向の逆方向に所定角度だけ戻って停止するように旋回指示の制御信号を送信する、すなわち、旋回中止指示の伝送遅延によるカメラ装置の停止位置のずれを補正するための旋回制御信号を送信する（ステップＳ３０５）。
【００４９】
その後、監視制御装置３では、上記旋回監視カメラ装置１の逆方向への所定角度の旋回が終了したかどうかを判定する（ステップＳ３０６）。
【００５０】
この判定の結果、逆方向への所定角度の旋回が終了したと判定した場合（ステップＳ３０６ＹＥＳ）、旋回監視カメラ装置１から送られてくる映像をモニタ画面上に表示すべく、上記ステップＳ３０４で保持した映像から現在の旋回監視カメラ装置１からリアルタイムに送られてくる映像に切替え（ステップＳ３０７）、ここでの処理を終了する。
【００５１】
この処理により、監視者が旋回監視カメラ装置の旋回中に旋回を停止させて見たい場所の映像を画面上でずれることなく表示させることができ、それにより、監視者にとっては、違和感無く所望の画角の映像を監視することができる。
【００５２】
ここで、上記図２の説明中に述べた伝送遅延測定用パケットについて、その一構成例を示す図４を用いて説明する。図４（ａ）が、上記図２に示した監視制御装置３の遅延差算出制御部３９が生成する伝送遅延測定用パケットの一構成例を示し、図４（ｂ）が、上記図２に示した旋回監視カメラ装置１の遅延差算出制御部１４が生成する伝送遅延測定用パケットの一構成例を示している。なお、この実施例では、ネットワーク（ＬＡＮまたはＷＡＮ）２で使用されるＩＰパケット構成を採っている。
【００５３】
図４（ａ）に示すように、この伝送遅延測定用パケットは、監視制御装置３から旋回監視カメラ装置１に伝送されるパケットであるため、送信元アドレス部分に監視制御装置のアドレスが挿入され、宛先アドレス部分に旋回監視カメラ装置のアドレスが挿入されている。そして、ＩＰパケット情報部には、この伝送遅延測定パケットを送出する時刻を示す情報が挿入されている。
【００５４】
また、図４（ｂ）に示すように、この伝送遅延測定用パケットは、旋回監視カメラ装置１から監視制御装置３に伝送されるパケットであるため、送信元アドレス部分に旋回監視カメラ装置のアドレスが挿入され、宛先アドレス部分に監視制御装置のアドレスが挿入されている。そして、ＩＰパケット情報部には、上記図４（ａ）に示す伝送遅延測定用パケットの情報部に挿入されている伝送遅延測定パケットの送出時刻情報をもとに算出された伝送遅延差を示す情報が挿入されている。
【００５５】
図５は、上記図２に示した監視制御装置３の映像表示部３４の表示画面の一構成例を示す図である。
【００５６】
図５に示すように、この映像表示部３４の表示画面には、この遠隔映像監視システムで使用される映像監視用ウィンドウ３４０が表示されている。そして、この例では、この映像表示用ウィンドウ３４０には、旋回監視カメラ装置１の旋回制御操作ボタン３４１と監視映像表示エリア３４２を備えて構成される。
【００５７】
ここで、旋回制御操作ボタン３４１は、監視者により旋回監視カメラ装置１の旋回方向を指示するための矢印キーから構成されており、この例では、右、右斜め上、上、左斜め上、左、左斜め下、下、右斜め下の全８方向の矢印キーが備えられている。
【００５８】
また、監視映像表示エリア３４２には、旋回監視カメラ装置１から送られてくる映像信号に基づき被監視対象場所Ａの情景が映し出される。
【００５９】
図６は、監視者が旋回監視カメラ装置１の旋回中に旋回を停止させて見たい画角の表示映像のイメージ（Ｂ）、および旋回停止が行われても実際伝送遅延分ｄｔだけずれて停止すると思われる画角の表示映像のイメージ（Ｃ）を示す図である。
【００６０】
図６において、ｄｘは、伝送遅延によりずれると思われる横方向の旋回度を示し、ｄｙは、伝送遅延によりずれると思われる縦方向の旋回度を示している。
【００６１】
なお、上記実施例では、監視制御装置３にパーソナルコンピュータを適用した場合を例にしているが、本発明は、これに限定されず、この種の遠隔映像監視システムに専用的に使用される装置として、上記図２に示した各機能構成部毎にハードウェア的に実現する場合にも適用できるものとする。
【００６２】
また、上記実施例の監視制御装置３では、旋回監視カメラ装置１から旋回停止補正が完了した旨を通知された場合に、リアルタイムで送られてくる映像信号の経路に映像表示部３４への経路を切換え接続するようにしているが、本発明は、これに限定されず、旋回監視カメラ装置１に対して旋回停止補正を指示してから当該伝送遅延時間に相当する時間が経過した後、自動的にリアルタイムで送られてくる映像信号の経路に映像表示部への経路を切換え接続するように構成しても良いものとする。
【００６３】
【発明の効果】
以上説明したように、本発明によれば、時間帯別に設定された時間間隔毎に、監視制御端末から撮像装置に伝送遅延測定信号を送信して、撮像装置から伝送遅延測定応答信号により時間帯別の時間間隔で伝送遅延時間を検出して管理することにより、実際の伝送遅れに近い伝送遅延時間で撮像装置を逆方向へ旋回する制御ができることができるので、監視者が撮像装置の旋回中に旋回を停止させて見たい場所の映像を画面上でずれることなく表示させることができる。
【００６４】
また、本発明によれば、時間帯別に設定された時間間隔毎に、監視制御端末から撮像装置に伝送遅延測定信号を送信して、撮像装置から伝送遅延測定応答信号により時間帯別の時間間隔で伝送遅延時間を検出して管理することにより、実際の伝送遅れに近い伝送遅延時間で撮像装置を逆方向へ旋回する制御ができるとともに、撮像装置の旋回中止指示が行われた場合に、モニタ画面上に表示されている映像を一旦保持し、逆方向への旋回終了後に、撮像装置から送られてくる映像をモニタ画面上に表示させるようにしたため、監視者が撮像装置の旋回中に旋回を停止させて見たい場所の映像を画面上でずれることなく表示させることができ、特に、監視者が違和感無く所望の画角の映像を監視することができる。
【図面の簡単な説明】
【図１】本発明の遠隔映像監視システムの一構成例を示す図。
【図２】図１に示した本発明の映像監視システムにおける旋回監視カメラ装置および監視制御装置の全体構成を詳細に示した図。
【図３】図２に示した遠隔映像監視システムの監視制御装置において、旋回監視カメラ装置の旋回中に監視者により旋回停止指示が行われた場合の監視制御装置の処理動作手順を示すフローチャート。
【図４】図２の説明中に述べた伝送遅延測定用パケットの一構成例を示す図。
【図５】図２に示した監視制御装置の映像表示部の表示画面の一構成例を示す図。
【図６】監視者が旋回監視カメラ装置の旋回中に旋回を停止させて見たい画角の表示映像のイメージ（Ｂ）、および旋回停止が行われても実際伝送遅延分だけずれて停止すると思われる画角の表示映像のイメージ（Ｃ）を示す図。
【符号の説明】
１００  遠隔映像監視システム
Ａ  被監視対象場所
１  旋回監視カメラ装置
１１  カメラ部
１２  旋回制御部
１３  パケット送受信部
１４  遅延差算出制御部
２  ＬＡＮ／ＷＡＮ
３  監視制御装置
３１  画像メモリ
３２  映像切替えスイッチ
３３  切替えスイッチ制御部
３４  映像表示部
３５  旋回制御操作部
３６  旋回制御部
３７  旋回停止補正制御部
３８  パケット送受信部
３９  遅延差算出部
４  タイムサーバ
【図１】
0004118000.tif 000002
【図２】
0004118000.tif 000003
【図３】
0004118000.tif 000004
【図４】
0004118000.tif 000005
【図５】
0004118000.tif 000006
【図６】
0004118000.tif 000007